(57)【特許請求の範囲】
【請求項１】
容器状の本体と、本体の開口を覆い本体にヒンジ結合した蓋とよりなる化粧用コンパクトにおいて、蓋のヒンジに対向する外周面にロック溝を刻設し、本体のヒンジ側に固着した楕円状の弾性リングのヒンジに対向する部分を前記ロック溝に係合するように設け、ヒンジとロック溝を結ぶ直線に対し直交する方向から楕円状の弾性リングを押圧すると、楕円状の弾性リングがたわみロック溝との係合が外れて蓋が開くようにした化粧用コンパクト。
【発明の詳細な説明】
【０００１】
【発明の属する技術分野】
本発明は、おしろい、口紅、アイシャドウ、頬紅などの化粧料を収容する化粧用コンパクトに関するものである。
【０００２】
【従来の技術】
従来の化粧用コンパクトは、図８および図９に示すように、口紅などの内容物１００を収容する容器状の本体１０１と、本体１０１の開口を覆い本体１０１にヒンジ結合（図示せず）した蓋１０２とよりなる。
本体１０１と蓋１０２とはヒンジで結合されており、ヒンジに対向する部分に本体１０１の外向き突起１０３と蓋１０２の内向き突起１０４とが噛み合う（噛み合い代は図示のＸ）ことにより、蓋１０２を閉める。
【０００３】
蓋１０２を開ける際には、図９に示すように、フックピース１０５を使用し、フックピース１０５により噛み合わせを強引に押し上げている。なお、符号１０６は内容物１００上に載置したパフで、符号１０７は蓋１０２内に張り付けた鏡である。
【０００４】
【発明が解決しようとする課題】
上記の従来の化粧用コンパクトでは、図９に示すように、フックピース１０５を押すことにより、蓋１０２の内向き突起１０４を本体１０１の外向き突起１０３より上方へ押し上げ噛み合い（噛み合い代Ｘ）を解除し、蓋１０２を開ける。  この化粧用コンパクトは、化粧用コンパクトの落下時などの衝撃のため、蓋１０２が開かないようにするためには、噛み合い代Ｘを大きくする必要がある。
【０００５】
噛み合い代Ｘを大きくすると、使用時にフックピース１０５を押す力が大きくなり、使用感の悪化となる。使用感を重視し、噛み合い代Ｘを小さくした場合、落下した時に蓋１０２が開き、内容物１００が飛散してしまうという問題点がある。
【０００６】
【課題を解決するための手段】
そこで、本発明は、上記の事情に鑑み、化粧用コンパクトが落下した際も蓋が開かないようにすべく、容器状の本体と、本体の開口を覆い本体にヒンジ結合した蓋とよりなる化粧用コンパクトにおいて、蓋のヒンジに対向する外周面にロック溝を刻設し、本体のヒンジ側に固着した楕円状の弾性リングのヒンジに対向する部分を前記ロック溝に係合するように設け、ヒンジとロック溝を結ぶ直線に対し直交する方向から楕円状の弾性リングを押圧すると、楕円状の弾性リングがたわみロック溝との係合が外れて蓋が開くようにした化粧用コンパクトとした。
【０００７】
【発明の実施の態様】
本発明を添付する図面に示す具体的な実施例に基づいて以下詳細に説明する。  本化粧用コンパクトは、図１、図２に示すように、容器状の本体１と本体１の開口を覆い、本体１にヒンジ結合（図示せず）した蓋２とよりなる。蓋２のヒンジに対向する外周面に水平状のロック溝３を刻設する。一方、楕円状の弾性リング４の基端側は本体１のヒンジ部に固着し、さらに、図７に示すように、蓋２のロック溝３の相隣る本体１の箇所に保持溝１１・１１を刻設し、保持溝１１・１１に弾性リング４を嵌める。保持溝１１・１１の深さは、保持溝１１・１１から弾性リング４の係合が外れないように、ロック溝３の深さｘ（図１参照）より深く設定する。
【０００８】
本体１のヒンジ側に固着した弾性リング４のヒンジ側に対向する部分が前記ロック溝３に係合して蓋２で本体１を閉める。
なお、符号１２は口紅、アイシャドウ、頬紅などの内容物であり、符号１３は内容物１２上に載置したパフ、符号１４は蓋２内面に張り付けた鏡である。  ヒンジとロック溝３とを結ぶ直線に対し、直交する方向から弾性リング４を押圧すると、弾性リング４が撓み、ロック溝３との係合が外れ、蓋２が開くようにした。
【０００９】
図３に示すように、弾性リング４はヒンジ部で固定されロック溝３に係合するように設定する。本体１および蓋２は平面視で円形状であって、弾性リング４は楕円であって短辺部がヒンジとロック溝３部に対応させてある。
図１・図３に示すように、蓋２を開ける際は、図４に示すように、弾性リング４のヒンジとロック溝３とを結ぶ直線に直交する方向から押すと、弾性リング４のヒンジに対向する部分がひずみ、ロック溝３から外れ蓋２が開く。
【００１０】
蓋２を閉じる際は、単に蓋２を抑えると蓋２は、本体１の開口を塞いで蓋２のロック溝３に弾性リング４が係合する。
本コンパクトが落下した時は、図５に示すように、弾性リング４に衝撃が片側のみから加えられるので、弾性リング４はロック溝３に沿って若干移動し弾性リング４はロック溝３から外れることなく、蓋２は開かない。
【００１１】
一方、図６に示すように、従来のコンパクトはフックピース１０５があるため、前部形状が決定してしまう。
しかし、本発明のコンパクトでは、図７に示すように、前部形状がスマートである。
【００１２】
【発明の効果】
本発明は、上述のように、容器状の本体と、本体の開口を覆い本体にヒンジ結合した蓋とよりなる化粧用コンパクトにおいて、蓋のヒンジに対向する外周面にロック溝を刻設し、本体のヒンジ側に固着した楕円状の弾性リングのヒンジに対向する部分を前記ロック溝に係合するように設け、ヒンジとロック溝を結ぶ直線に対し直交する方向から楕円状の弾性リングを押圧すると、楕円状の弾性リングがたわみロック溝との係合が外れて蓋が開くようにした化粧用コンパクトであるので、化粧用コンパクトが落下した際も蓋が開かない。また、噛み合い代Ｘを大きくしても、小さなフックピースを押す必要がないので、使用感の悪化につながりにくい。
【００１３】
また、本発明は、コンパクトの開閉に弾性リングを用いたので、化粧用コンパクトとしてスマートである。
さらに、本発明は、従来のフックピースによる開閉に比して弾性リングを単に押圧するだけでよいので、コンパクトの開閉が至極容易になり、お年寄りなどの使用にも適する。
【００１４】
さらにその上に、本発明は、従来のようにフックピースが不要であるので、本体および蓋の成形が至極容易になり、安価な化粧用コンパクトの提供が可能となる。
【図面の簡単な説明】
【図１】  本発明の化粧用コンパクトの要部の縦断面図で、弾性リングによりロックされた状態を示す。
【図２】  図１のロックが解除された状態を示す要部の縦断面図である。
【図３】  本発明のロックされた状態の概要を説明する平面図である。
【図４】  本発明の蓋を開ける時の状態の概要を説明する平面図である。
【図５】  本発明の側面より落下した時、衝撃が加わり弾性リングが移動した状態を示す平面図である。
【図６】  従来のコンパクトのロック部を示す正面図である。
【図７】  本発明のコンパクトのロック部を示す拡大正面図である。
【図８】  従来のコンパクトの突起が係合した状態で蓋が閉まった状態を示す要部の縦断面図である。
【図９】  従来のコンパクトがフックピースにより開かれた状態を示す縦断面図である。
【符号の説明】
１…本体
２…蓋
３…ロック溝
４…弾性リング
１１…保持溝
【図１】
0003842422.tif 000002
【図２】
0003842422.tif 000003
【図３】
0003842422.tif 000004
【図４】
0003842422.tif 000005
【図５】
0003842422.tif 000006
【図６】
0003842422.tif 000007
【図７】
0003842422.tif 000008
【図８】
0003842422.tif 000009
【図９】
0003842422.tif 000010